(57)【特許請求の範囲】
【請求項１】
一部分が静水面下にあり、他の部分が静水面上にあって波の進行方向に対して上り勾配を有する斜板と、該斜板を支持する鋼管製のジャケットと、該ジャケットを支持する基礎杭とからなる斜板堤であって、上記斜板は、ジャケット上に固定した鋼製箱型の外殻と、該外殻内を縦横に井桁状に区画するダイヤフラムと、外殻上面に設けた打設孔から打設したコンクリートとからなり、上記斜板の底板は上記ダイヤフラム下端と連結する部分で下方に突出した井桁状の突条を有していて、該突条が交差する部分は上記ジャケットの脚部上端に連結されていることを特徴とする斜板堤。
【請求項２】
外殻内面とダイヤフラムの側面には多数のスタットボルトを溶接した請求項１記載の斜板堤。
【発明の詳細な説明】
【０００１】
【発明の属する技術分野】
本発明は、斜板堤に係り、特に沖合いの波のエネルギーが集中する海面付近に設置して消波することによって堤体の背後に静穏な海域を創出するための斜板堤に関するものである。
【０００２】
【従来の技術】
従来の消波装置としては、沖合いにコンクリートブロックを多数沈めて積み上げて消波する消波ブロック工法が主流であった。しかしながら、消波ブロック工法による離岸堤は、波の被災を受け易く形が崩れたり、コンクリートブロックの散乱に伴なう景観の悪化、漁業への影響などがあり、近年は消波ブロック工法による離岸堤に替わって、波のエネルギーが集中する海面付近にコンクリート製の斜板堤を設置することによって、波を強制的に砕波して静める工法が提案されている。
【０００３】
図５および図６は特開平４−７４０２号公報に開示された斜板堤（水面設置構造物）の図で、図５は斜板堤の斜視図、図６は斜板堤の側面図である。図において、１は海水の静水面、２は波、３は波２の進行方向、４は進行方向３後方の沖側、５は進行方向３前方の岸側、６は海底である。７は沖側４が静水面１下に位置し、波２の進行方向３に対して上り勾配の傾斜した面８を有する斜板、９は斜板７を支えるスリーブ状をした脚部、１０は上部が脚部９内部を通され、下部が海底６へ打ち込まれた鋼管杭である。１１は斜板７上方を通る波、１２は斜板７下方を通る波である。なお、複数の脚部９と水平連結材および斜め連結材とによってジャケット１６が構成される。
【０００４】
図７は従来のコンクリート製の斜板をヤード上で構築している状態を示す概要図である。なお、図５および図６で説明したものと共通するものは、同じ符号を付して説明する。図において、７はコンクリート製の斜板で、その大きさは幅（波の進行方向）約１０ｍ、長さ約１４ｍであり、長さ方向に複数台連続して設ける。斜板７はヤード２０上に仮置きされたジャケット１６上に設置する。１８は斜板７を構築する際に使用する足場で、ヤード２０上に適宜段積みして取り付ける。２１はコンクリート打設用型枠で、ジャケット１６上に傾斜させて取り付ける。その傾斜角は約１５°である。１９はジャケット１６のまわりに設けられ、型枠２１の下面を支持する多数の支保工で、斜板７の位置により適宜高さを調整して取り付ける。型枠２１が完成すると、型枠２１内に、図示しないコンクリートポンプ車からコンクリートを投入して打設する。コンクリートを打設する際、型枠２１が傾斜しているので、コンクリートは下方に流下してしまい、型枠２１上方への打設が難しく、コンクリートの粘性を調整して固めのコンクリートを打設しなければならない。コンクリートが固化すると、型枠２１、支保工１９および足場１８を取り外す。
【０００５】
【発明が解決しようとする課題】
しかしながら、従来の斜板堤では、斜板を形成するのに斜板堤を設置する沿岸のヤードでコンクリートを打設するため、コンクリート打設のための形枠を取り付けるとともに、型枠内にコンクリート補強のための多数の鉄筋を配設しなければならない。また、形枠を支持するための多数の支保工や足場を取り付けなければならず、その取り付け取り外し工事が複雑で手間がかかる。さらに、固めのコンクリートを打設するため、隙間ができやすく、コンクリートの品質が悪い。しかも、これらの作業はヤードでの作業なので、作業効率が悪い。
【０００６】
本発明は、従来技術のかかる問題点に鑑み案出されたもので、鋼製箱型の外殻とジャケットとを工場で一体に製作して斜板堤を設置する沿岸のヤードに移動し、沿岸のヤードで、鋼製箱型の外殻の内部にコンクリートを打設して外殻とコンクリートとを一体化した斜板堤を浮きクレーンで吊り上げて海上に設置された基礎杭上に降下して固定することによって、ヤードでの型枠を使用したコンクリート打設工事を無くして作業効率の向上を図るとともに、コンクリートの品質の向上を図ることのできる斜板堤を提供することを目的とする。
【０００７】
【課題を解決するための手段】
上記目的を達成するため、本発明の斜板堤は、一部分が静水面下にあり、他の部分が静水面上にあって波の進行方向に対して上り勾配を有する斜板と、該斜板を支持する鋼管製のジャケットと、該ジャケットを支持する基礎杭とからなる斜板堤であって、上記斜板は、ジャケット上に固定した鋼製箱型の外殻と、該外殻内を縦横に井桁状に区画するダイヤフラムと、外殻上面に設けた打設孔から打設したコンクリートとからなるものである。
【０００８】
また、外殻内面とダイヤフラムの側面には多数のスタットボルトを溶接するのが好ましい。
【０００９】
外殻の内部に打設したコンクリートに替えて、少なくとも斜板が没水したときに浮き上がらない程度に水を注入してもよい。
【００１０】
次に本発明の作用を説明する。鋼管製のジャケットと鋼製箱型の外殻とを工場で一体に製作するので、製作がしやすい。また、鋼製箱型の外殻は、コンクリート打設時の型枠ともなるので、型枠が不要であり、かつ、型枠を支持する支保工などの機材を無くすことができる。しかも、型枠内に配設する鉄筋も不要になる。また、外殻内面とダイヤフラムの側面には多数のスタットボルトを溶接しているので、外殻およびダイヤフラムとコンクリートとは密着しており、剥離することがない。斜板堤を設置する沿岸のヤードでは、外殻の内部にコンクリートを打設するだけであり、コンクリートを打設した後、斜板を取り付けたジャケットを浮きクレーンで吊り上げて基礎杭上に固定するので、工期を短縮して作業効率の向上を図るとともに、コンクリートの品質の向上を図ることができる。なお、外殻とジャケットは、輸送に便利な大きさに分割し、ヤード上で溶接で組み立ててもよい。
【００１１】
【発明の実施の形態】
以下、本発明の一実施形態について図面を参照しつつ説明する。図１は本発明の斜板堤の側面図である。図２は図１のＡ―Ａ矢視図である。図３（Ａ）は斜板の斜視図であり、（Ｂ）は（Ａ）の一部拡大図である。なお、図５ないし図７を用いて、従来のものとして説明したものと共通するものは、同じ符号を付して説明する。図１ないし図３において、１は静水面である。２は波、３は波２の進行方向である。６は海底である。７は波２の進行方向３に対して上り勾配の傾斜面を有する斜板である。７Ａは斜板７の鋼製の外殻で、図３に示すように、上板７ａと底板７ｂと側板７ｃとによって箱型に形成されている。７ｄは外殻７Ａの上板７ａに設けたコンクリート１４を打設する際の打設孔、７ｅはコンクリート１４を打設する際の空気抜き口である。底板７ｂと側板７ｃとは、コンクリート１４打設時の型枠ともなる。９Ａは斜板７を支える鋼管製の脚部である。脚部９Ａは、隣り合う複数の脚部９Ａ同志を複数の水平連結材９ａおよび複数の斜め連結材９ｂで連結して１ブロックのジャケット１６を構成している。ジャケット１６の上端と外殻７Ａの底板７ｂの下面とは、溶接により一体に構成されている。１０は海底６へ打ち込んだ複数の基礎杭で、上記ジャケット１６の脚部９Ａに対応する数分設けられる。なお、海上で基礎杭１０に固定する際、脚部９Ａは基礎杭１０に外嵌して固定する。１３は外殻７Ａの内部を井桁状に区画するダイヤフラムである。１５は外殻７Ａの内面とダイヤフラム１３の側面に溶接した多数のスタットボルトで、コンクリート１４の外殻７Ａとダイヤフラム１３からの剥離を防止する。底板７ｂは、ダイヤフラム１３と連結する部分で、井桁状に下方に突出していて斜板７の剛性を大きくしている。
【００１２】
図４は外殻７Ａ内部にコンクリート１４を打設している状態を示す側面概念図である。ジャケット１６と外殻７Ａとを工場で一体に製作して、図に示すように、斜板堤を設置する沿岸のヤード２０に移動して仮置きする。仮置きするとコンクリートポンプ車１７によって外殻７Ａの内部にコンクリート１４を打設する。このときコンクリート１４の打設は下方から順に行ない、コンクリート１４が空気抜き口７ｅから吐出するまで打設して外殻７Ａ内に空気の滞留するのを防止する。
【００１３】
外殻７Ａ内部にコンクリート１４を打設して斜板７が完成すると、ジャケット１６を、図示しない浮きクレーンで吊り上げて、あらかじめ海底に打ち込んで設置した鋼管製の基礎杭１０上に移動して降下し、ジャケット１６の脚部９Ａを基礎杭１０に外嵌して固定する。なお、基礎杭１０は、脚部９Ａの上端付近まで嵌入する。
【００１４】
次に本実施形態の作用を説明する。鋼管製のジャケット１６と鋼製箱型の外殻７Ａとを工場で一体に製作するので、製作がしやすく、品質も確保しやすい。また、鋼製箱型の外殻７Ａは、コンクリート１４打設時の型枠ともなるので、型枠２１が不要であり、かつ、型枠２１を支持する支保工１９などの機材を無くすことができる。しかも、型枠２１内に配設する鉄筋も不要になる。コンクリート構造物は、一般にコンクリート構造物に圧力がかかると上側が圧縮状態になり、下側は引っ張り状態になるが、コンクリートは引っ張りに弱い。しかし、本発明では斜板７は上下が鋼板なので、強度が大きく、コンクリートと同じ条件であれば重量を減少できる。外殻７Ａの内部には鉄筋は設けてないが、外殻７Ａ内面とダイヤフラム１３の側面には多数のスタットボルト１５を溶接しているので、外殻７Ａおよびダイヤフラム１３とコンクリート１４とは密着しており、斜板７に波の力などによって圧力がかかり、斜板７に曲げ力がかかっても曲げ力に対して一定の抵抗力を保持することができる。斜板堤を設置する沿岸のヤード２０では、外殻７Ａの内部にコンクリート１４を打設するだけであり、コンクリート１４を打設した後、斜板７を取り付けたジャケット１６を浮きクレーンで吊り上げて基礎杭１０上に固定するので、工期を短縮して作業効率の向上を図るとともに、コンクリート１４の品質の向上を図ることができる。
【００１５】
本発明は、以上述べた実施形態に限定されるものではなく、発明の要旨を逸脱しない範囲で種々の変更が可能である。たとえば、斜板７の内部にコンクリート１４を打設するとしたが、斜板７の断面形状をコンクリート１４を打設した場合と同程度の強度を持つような形状にすれば、コンクリート１４の打設はしなくてもよい。その場合、斜板７が浮き上らないように内部に水を注入しておくのがよい。
【００１６】
【発明の効果】
以上述べたように、本発明の斜板堤は、鋼製箱型の外殻とジャケットとを工場で一体に製作して斜板堤を設置する沿岸のヤードに移動し、沿岸のヤードで、鋼製箱型の外殻の内部にコンクリートを打設して外殻とコンクリートとを一体化した斜板堤を浮きクレーンで吊り上げて海上に設置された基礎杭上に降下して固定することによって、ヤードでの型枠を使用したコンクリート打設工事を無くして作業効率の向上を図るとともに、コンクリートの品質の向上を図ることができるという優れた効果を奏する。
【図面の簡単な説明】
【図１】本発明の斜板堤の側面図である。
【図２】図１のＡ−Ａ矢視図である。
【図３】（Ａ）は斜板の斜視図で、（Ｂ）は（Ａ）の一部拡大図である。
【図４】外殻内部にコンクリートを打設している状態を示す側面概念図である。
【図５】特開平４−７４０２号公報に開示された斜板堤（水面設置構造物）の斜視図である。
【図６】特開平４−７４０２号公報に開示された斜板堤（水面設置構造物）の側面図である。
【図７】従来のコンクリート製の斜板をヤード上で構築している状態を示す概要図である。
【符号の説明】
１      海水の静水面
２      波
３      波の進行方向
６      海底
７      斜板
７Ａ    外殻
７ａ    上板
７ｂ    底板
７ｃ    側板
７ｄ    コンクリート打設孔
７ｅ    空気抜き口
９、９Ａ    脚部
１０      基礎杭
１３      ダイヤフラム
１４      コンクリート
１５      スタッドボルト
１６      ジャケット
１８      足場
１９      支保工
２１      型枠
【図１】
0004000910.tif 000002
【図２】
0004000910.tif 000003
【図３】
0004000910.tif 000004
【図４】
0004000910.tif 000005
【図５】
0004000910.tif 000006
【図６】
0004000910.tif 000007
【図７】
0004000910.tif 000008